(57)【要約】  無線ネットワークを介して、１つまたは複数の移動体通信装置間でワイヤレスに通信するための装置が提供される。主移動体通信装置は、１つまたは複数の副移動体通信装置への１つまたは複数の接続を確立するように構成される。主移動体通信装置はさらに、副移動体通信装置のうち少なくとも１つへの第１の接続および第２の接続を確立するように構成される。第１の接続はＢｌｕｅｔｏｏｔｈ（登録商標）（ＢＴ）接続であり、第２の接続は無線フィデリティ（ＷｉＦｉ）接続である。また、主移動体通信装置は、もう１つの副移動体通信装置への第３の接続を確立するように構成され、この第３の接続は、ＷｉＦｉ接続である。さらに、主移動体通信装置は、主移動体通信装置と副移動体通信装置と間のデータの双方向伝送中、ＢＴ接続とＷｉＦｉ接続を同時に維持するように構成される。【選択図】図４
2010535461.tif 000002
【特許請求の範囲】
【請求項１】
無線ネットワーク上の移動体通信装置間の通信のための方法であって、
Ｂｌｕｅｔｏｏｔｈ（登録商標）接続（ＢＴ接続）を確立するステップと、
ＩＥＥＥ８０２．１１接続を確立するステップと、
前記ＢＴ接続と前記ＩＥＥＥ８０２．１１接続の両方を同時に維持するステップと、
前記ＩＥＥＥ８０２．１１接続を介して、Ｂｌｕｅｔｏｏｔｈ（登録商標）データパケット（ＢＴデータパケット）を伝送するステップと、を含む方法。
【請求項２】
前記ＢＴデータパケットが、前記ＩＥＥＥ８０２．１１接続を介して、ＩＥＥＥ８０２．１１データフレームで伝送される、請求項１に記載の方法。
【請求項３】
前記ＢＴデータパケットが、Ｂｌｕｅｔｏｏｔｈ（登録商標）プロファイル（ＢＴプロファイル）を含む、請求項１に記載の方法。
【請求項４】
前記ＢＴ接続を確立するステップが、利用可能なＢｌｕｅｔｏｏｔｈ（登録商標）代替ＭＡＣ物理層（ＢＴ  ＡＭＰ層）を有する１つまたは複数の移動体通信装置に対して走査を実行するステップをさらに含む、請求項３に記載の方法。
【請求項５】
前記確立されたＩＥＥＥ８０２．１１接続が、ＢＴデータパケットを伝送するために未使用の時間を使用する、請求項４に記載の方法。
【請求項６】
前記ＢＴ接続を確立するステップが、
主移動体通信装置の代替媒体アクセス制御物理プロトコル抽象化層（ＡＭＰ  ＰＡＬ）からプローブ要求信号を発生させるステップと、
前記主移動体通信装置の前記ＡＭＰ  ＰＡＬから、前記プローブ要求信号を伝送するステップと、
副移動体通信装置のＡＭＰ  ＰＡＬから、プローブ応答信号を受信するステップと、をさらに含む、請求項１に記載の方法。
【請求項７】
無線ネットワーク上の同時通信のための装置であって、
１つまたは複数の副移動体通信装置への１つまたは複数の接続を確立するための主移動体通信装置を備え、
前記主移動体通信装置が、副移動体通信装置のうち少なくとも１つへの第１の接続および第２の接続を確立し、前記第１の接続がＢｌｕｅｔｏｏｔｈ（登録商標）接続（ＢＴ接続）であり、前記第２の接続がＩＥＥＥ８０２．１１接続であり、
前記主移動体通信装置が、もう１つの副移動体通信装置への第３の接続を確立し、前記第３の接続がＩＥＥＥ８０２．１１接続であり、
前記主移動体通信装置が、前記ＢＴ接続と前記ＩＥＥＥ８０２．１１接続の両方を同時に維持しながら、前記主移動体通信装置が前記もう１つの副移動体通信装置へデータを同時に伝送する装置。
【請求項８】
前記データがＢｌｕｅｔｏｏｔｈ（登録商標）データパケット（ＢＴデータパケット）である、請求項７に記載の装置。
【請求項９】
前記データがＩＥＥＥ８０２．１１データパケットである、請求項７に記載の装置。
【請求項１０】
前記主移動体通信装置が、ＢＴデータパケットおよびＩＥＥＥ８０２．１１データパケットの前記伝送をスケジュールする、請求項９に記載の装置。
【請求項１１】
前記主移動体通信装置が、ｐｏｌｌｉｎｇ−ｔｈｅ−ｓｌａｖｅ−ｐｅｒ−ｐａｃｋｅｔ伝送スキームを使用するＢＴデータパケットの前記伝送の後に、ＩＥＥＥ８０２．１１データパケットの前記伝送をスケジュールする、請求項１０に記載の装置。
【請求項１２】
前記主移動体通信装置が、伝送をスケジュールするために、前記１つまたは複数の副移動体通信装置をポーリングすることになる、請求項１１に記載の装置。
【請求項１３】
前記主移動体通信装置が、ＢＴデータパケットの伝送の後に前記１つまたは複数の副移動体通信装置をポーリングすることになる、請求項１１に記載の装置。
【請求項１４】
前記主移動体通信装置が、前記１つまたは複数の副移動体通信装置をポーリングすることになり、それに応答して前記１つまたは複数の副移動体通信装置により、前記主移動体通信装置がＢＴデータパケットおよびＩＥＥＥ８０２．１１データパケットの前記伝送をスケジュールしうるようになる、請求項１１に記載の装置。
【請求項１５】
ＢＴデータパケットの次のスケジュール伝送までの時間量が時間閾値未満の場合、前記主移動体通信装置が、前記１つまたは複数の副移動体通信装置をポーリングしない、請求項１１に記載の装置。
【請求項１６】
前記時間閾値が経過後、前記１つまたは複数の副移動体通信装置が、ＢＴデータパケットの伝送を中断する、請求項１５に記載の装置。
【請求項１７】
前記主移動体通信装置が、Ｔｒａｎｓｍｉｓｓｉｏｎ  Ｏｐｐｏｒｔｕｎｉｔｙ（ＴｘＯＰ）−ｔｏ−ｔｈｅ−ｓｌａｖｅ伝送スキームを使用する、Ｂｌｕｅｔｏｏｔｈ（登録商標）でスケジュールされた伝送間の時間に基づいて、ＢＴデータパケットおよびＩＥＥＥ８０２．１１データパケットの前記伝送をスケジュールする、請求項１０に記載の装置。
【請求項１８】
前記主移動体通信装置が、Ｂｌｕｅｔｏｏｔｈ（登録商標）マスターでスケジュールされた伝送間で利用可能な時間に基づいて、ＴｘＯＰ持続時間を許可する、請求項１７に記載の装置。
【請求項１９】
前記主移動体通信装置が、ＢＴデータパケットとＩＥＥＥ８０２．１１データパケットが干渉しないように、前記ＢＴデータパケットおよびＩＥＥＥ８０２．１１データパケットの前記伝送をスケジュールする、請求項１７に記載の装置。
【請求項２０】
前記もう１つの副移動体通信装置が、アクセスポイント（ＡＰ）である、請求項７に記載の装置。
【請求項２１】
無線ネットワーク上の同時通信のための装置であって、
副移動体通信装置およびアクセスポイント（ＡＰ）への１つまたは複数の接続を確立するための主移動体通信装置を備え、
前記主移動体通信装置が、前記副移動体通信装置への第１の接続および第２の接続を確立し、前記第１の接続がＢｌｕｅｔｏｏｔｈ（登録商標）接続（ＢＴ接続）であり、前記第２の接続がＩＥＥＥ８０２．１１接続であり、
前記主移動体通信装置が、前記ＡＰへの第３の接続を確立し、前記第３の接続がＷｉＦｉまたはＩＥＥＥ８０２．１１接続であり、
前記主移動体通信装置が、ＢＴ接続とＩＥＥＥ８０２．１１接続の両方を同時に維持しながら、前記主移動体通信装置が前記副移動体通信装置および前記ＡＰの両方へデータを同時に伝送する装置。
【請求項２２】
前記データがＢｌｕｅｔｏｏｔｈ（登録商標）データパケット（ＢＴパケットデータ）である、請求項２１に記載の装置。
【請求項２３】
前記データがＩＥＥＥ８０２．１１データパケットである、請求項２１に記載の装置。
【請求項２４】
前記ＡＰが無線ルータである、請求項２１に記載の装置。
【請求項２５】
前記主移動体通信装置が、前記副移動体通信装置の両方からデータを同時に受信するように動作可能であり、前記主移動体通信装置が、前記ＢＴ接続および前記ＩＥＥＥ８０２．１１接続の両方を同時に維持する、請求項２１に記載の装置。
【請求項２６】
前記主移動体通信装置が、ｐｏｌｌｉｎｇ−ｔｈｅ−ｓｌａｖｅ−ｐｅｒ−ｐａｃｋｅｔ伝送スキームを使用するＢＴデータパケットおよびＩＥＥＥ８０２．１１データパケットの前記伝送をスケジュールする、請求項２１に記載の装置。
【発明の詳細な説明】
【技術分野】
【０００１】
本出願は、全体的に本明細書に参照として組み込まれる２００７年７月３０日付けで出願された「ＢＴ８０２．１１ＡＭＰ」と題する米国仮特許出願第６０／９５２，７４４号の優先権を主張するものである。
【０００２】
本開示は、全体的には通信システムに関し、より詳細にはＢｌｕｅｔｏｏｔｈ（登録商標）接続と８０２．１１接続を一緒に使用して、移動体通信装置間でデータをワイヤレスに通信する無線通信システムに関する。
【背景技術】
【０００３】
無線ネットワークにおいて、消費者側ではモバイルコンピューティングデバイスに対する需要が高まり続け、製造業者側ではより大きな容量を備える無線デバイスが開発され続けている。無線ネットワークは、広範囲かつ多種多様に急増している。多くの消費者は、複数のデバイスにインターネットアクセスを提供するために、家庭内でローカルエリア無線ネットワークを使用する。これらの消費者の多くは、ハンドヘルドデバイスまたはモバイルデバイスに相互接続するためのパーソナルエリア無線ネットワークを利用する。最終的には、大都市圏を網羅する接続性を提供するために、たくさんのサイトが無線ネットワークを編成し始めた。
【０００４】
無線ネットワークおよびネットワークプロトコルには数多くのタイプが存在する。無線ローカルエリアネットワーク（ＷＬＡＮ）は、典型的には、電気電子学会（ＩＥＥＥ）８０２．１１基準の様々な無線プロトコル（１９９９年に最初に公布）のうち１つを含む。これらのプロトコルは、異なるスペクトル帯域で、および／または異なる多重化もしくは拡散スペクトルスキームで動作して、ネットワーク上のデバイスに様々なビットレートを配信する、ＩＥＥＥ８０２．１１ａ、８０２．１１ｂ、８０２．１１ｎおよび８０２．１１ｇを含む。また、これらの８０２．１１基準は、以下の記載において、用語「ＷｉＦｉ」ネットワークまたは同様の用語が以下で使用されるときに、想起されるものである。本書類は、ＷｉＦｉネットワークの一部として記載されたデバイスが、適合性または相互運用性試験、たとえばＷｉ−Ｆｉ  Ａｌｌｉａｎｃｅ  Ｓｐｅｃｉａｌ  Ｉｎｔｅｒｅｓｔ  Ｇｒｏｕｐによって提供される試験を成功裏に合格したということを何ら示唆するものではない。
【０００５】
別のタイプの無線ネットワークは、集合的に無線パーソナルエリアネットワーク（ＷＰＡＮ）と呼ばれる。この無線パーソナルエリアネットワークは、必ずしもそうである必要はないが、典型的には無線ローカルエリアネットワーク（ＷＬＡＮ）よりも物理的に近接して配置される複数のデバイスの相互接続を含む。普及しているＷＰＡＮの一例は、無線プロトコル仕様のＢｌｕｅｔｏｏｔｈ（登録商標）セットに基づくと同時に、ＩＥＥＥ８０２．１５．１基準の無線プロトコルに記載される。
【０００６】
いずれのネットワーク技術も、ラップトップコンピュータ、ハンドヘルドコンピュータ、プリンタ、保存媒体、セルラ電話またはデジタルメディアプレーヤを含む複数のデバイスに対する接続を同時にサポートすることができる。いくつかの例において、特にＷｉＦｉネットワーク、無線デバイスを含む装置は、即時型無線ネットワークを介して情報をより大きな相互接続されたネットワークへ伝送できるようにするためのその他のネットワーク機器（アクセスポイント、ルータ、スイッチなど）に含まれることができる。
【０００７】
各ネットワーク技術には、それぞれの利点がある。Ｂｌｕｅｔｏｏｔｈ（登録商標）技術は、デバイス製造業者、オペレーティングシステムまたはデバイスのクラスとは無関係に、デバイスが予め定義された相互運用可能なタスクを実行できるようにするプロファイルを組み込む。Ｂｌｕｅｔｏｏｔｈ（登録商標）デバイスは、相互運用可能なプロファイルを利用するが、これらのデバイスは、ＷｉＦｉ技術を利用するデバイスに比べて低いデータスループットおよび短い範囲を提供するのが一般的な送受信器を使用する。したがって、移動体通信装置間でワイヤレスに通信するＢｌｕｅｔｏｏｔｈ（登録商標）およびＷｉＦｉなどの２つのネットワークプロトコルを利用することによって、Ｂｌｕｅｔｏｏｔｈ（登録商標）プロファイルデータを送信するためのデータスループットを増加させることができるシステムを提供する。
【発明の概要】
【課題を解決するための手段】
【０００８】
一実施形態において、無線ネットワーク上の移動体通信装置間の通信のための方法であって、Ｂｌｕｅｔｏｏｔｈ（登録商標）接続（ＢＴ接続）を確立するステップと、ＩＥＥＥ８０２．１１接続を確立するステップと、ＢＴ接続とＩＥＥＥ８０２．１１接続の両方を同時に維持するステップと、ＩＥＥＥ８０２．１１接続を介して、Ｂｌｕｅｔｏｏｔｈ（登録商標）データパケット（ＢＴデータパケット）を伝送するステップと、を含む方法。
【０００９】
別の実施形態において、無線ネットワーク上の同時通信のための装置であって、１つまたは複数の副移動体通信装置への１つまたは複数の接続を確立するための主移動体通信装置を備え、主移動体通信装置が、副移動体通信装置のうち少なくとも１つへの第１の接続および第２の接続を確立し、第１の接続はＢｌｕｅｔｏｏｔｈ（登録商標）接続（ＢＴ接続）で、第２の接続はＩＥＥＥ８０２．１１接続であり、主移動体通信装置が、もう１つの副移動体通信装置への第３の接続を確立し、第３の接続はＩＥＥＥ８０２．１１接続であり、主移動体通信装置が、ＢＴ接続とＩＥＥＥ８０２．１１接続の両方を同時に維持しながら、主移動体通信装置がもう１つの副移動体通信装置へデータを同時に伝送する装置。
【００１０】
さらに別の実施形態において、無線ネットワーク上の同時通信のための装置であって、副移動体通信装置およびアクセスポイント（ＡＰ）への１つまたは複数の接続を確立するための主移動体通信装置を備え、主移動体通信装置が、副移動体通信装置への第１の接続および第２の接続を確立し、第１の接続はＢｌｕｅｔｏｏｔｈ（登録商標）接続（ＢＴ接続）であり、第２の接続はＩＥＥＥ８０２．１１接続であり、主移動体通信装置が、ＡＰへの第３の接続を確立し、第３の接続はＷｉＦｉまたはＩＥＥＥ８０２．１１接続であり、主移動体通信装置が、ＢＴ接続とＩＥＥＥ８０２．１１接続の両方を同時に維持しながら、主移動体通信装置が副移動体通信装置およびＡＰの両方へデータを同時に伝送する装置。
【図面の簡単な説明】
【００１１】
【図１】複数の副移動体通信装置にワイヤレスに通信する主移動体通信装置を含む無線ネットワークを示すブロック図である。
【図２】Ｂｌｕｅｔｏｏｔｈ（登録商標）接続、ＷｉＦｉ接続およびＢｌｕｅｔｏｏｔｈ（登録商標）同期接続指向（ＢＴ  ＳＣＯ）接続を介して、複数の副移動体通信装置へデータを転送するＢｌｕｅｔｏｏｔｈ（登録商標）代替ＭＡＣ物理層（ＢＴ  ＡＭＰ）の主移動体通信装置を含む無線ネットワークを示す図である。
【図３】Ｂｌｕｅｔｏｏｔｈ（登録商標）接続、ＷｉＦｉ接続およびＢｌｕｅｔｏｏｔｈ（登録商標）非同期接続リンク（ＢＴ  ＡＣＬ）接続を介して、複数の副移動体通信装置へデータを転送するＢＴ  ＡＭＰの主移動体通信装置を含む無線ネットワークを示す図である。
【図４】Ｂｌｕｅｔｏｏｔｈ（登録商標）接続および８０２．１１接続を介して、１つの副移動体通信装置へデータを転送しながら、同時にアクセスポイント（ＡＰ）と通信するＢＴ  ＡＭＰの主移動体通信装置を含む無線ネットワークを示す図である。
【図５】移動体通信装置のＢＴ  ＡＭＰプロトコルスタックの実装形態を示すブロック図である。
【図６】別のＢＴ  ＡＭＰの移動体通信装置を発見するＢＴ  ＡＭＰの移動体通信装置のデバイスマネージャおよびコントローラの信号図である。
【図７】ＷｉＦｉ物理リンクを生成するために相互作用する２つの移動体通信装置のデバイスマネージャおよびコントローラを示す信号図である。
【図８】移動体通信装置間にチャネルＡＭＰを生成するために相互作用する２つの移動体通信装置のデバイスマネージャおよびコントローラを示す信号図である。
【図９】ＰＡＬ内の機能ブロックを示すブロック図である。
【図１０】２つの移動体通信装置間の８０２．１１接続を介して伝送される８０２．１１データパケット／フレームを示す図である。
【図１１】ｐｏｌｌｉｎｇ−ｔｈｅ−ｓｌａｖｅ−ｐｅｒ−ｐａｃｋｅｔデータ伝送スキームを使用し、８０２．１１接続を介する、Ｂｌｕｅｔｏｏｔｈ（登録商標）データパケットおよび８０２．１１データパケットの伝送を示す図である。
【図１２】ＴｘＯＰ−ｔｏ−ｔｈｅ−ｓｌａｖｅデータ伝送スキームを使用し、Ｂｌｕｅｔｏｏｔｈ（登録商標）接続および８０２．１１接続を介する、Ｂｌｕｅｔｏｏｔｈ（登録商標）データパケットおよび８０２．１１データパケット／フレームの伝送を示す図である。
【図１３Ａ】ＢＴ  ＡＭＰ層をこれらのデバイスのプロトコルスタックの一部に加えることができる様々なデバイスを示す図である。
【図１３Ｂ】ＢＴ  ＡＭＰ層をこれらのデバイスのプロトコルスタックの一部に加えることができる様々なデバイスを示す図である。
【図１３Ｃ】ＢＴ  ＡＭＰ層をこれらのデバイスのプロトコルスタックの一部に加えることができる様々なデバイスを示す図である。
【図１３Ｄ】ＢＴ  ＡＭＰ層をこれらのデバイスのプロトコルスタックの一部に加えることができる様々なデバイスを示す図である。
【図１３Ｅ】ＢＴ  ＡＭＰ層をこれらのデバイスのプロトコルスタックの一部に加えることができる様々なデバイスを示す図である。
【図１３Ｆ】ＢＴ  ＡＭＰ層をこれらのデバイスのプロトコルスタックの一部に加えることができる様々なデバイスを示す図である。
【発明を実施するための形態】
【００１２】
図１は、無線ネットワーク１００の一例のブロック図であり、この無線ネットワーク１００は、短範囲または長範囲ネットワークを表すことができ、また副移動体通信装置１０４および１０６とワイヤレスに通信する主移動体通信装置１０２を用いるアドホックトポロジーまたはインフラストラクチャトポロジーとすることができる。示された実施例において、主移動体通信装置１０２は、携帯用情報端末（ＰＤＡ）、セルラ電話、車両、メディアプレーヤ、ラップトップコンピュータ、ワイヤレスサポートされたデスクトップコンピュータ、ゲーム機、無線ネットワークデバイス（ルータやスイッチなど）、またはその他の任意の携帯型コンピューティングデバイスとすることができる。同様に、副移動体通信装置１０４および１０６は、主移動体通信装置１０２に関して本明細書に記載されるような任意の携帯型コンピューティングデバイスとすることができる。ＷＬＡＮ環境において、主移動体通信装置１０２ならびに副移動体通信装置１０４および１０６は、容認されたまたは想定された無線通信プロトコルに準拠することができ、そのプロトコルの例としてＩＥＥＥ８０２．１１ａ、８０２．１１ｂ、８０２．１１ｇ、８０２．１１ｎおよびＢｌｕｅｔｏｏｔｈ（登録商標）（ＢＴ）が挙げられる。しかし、これらは、単なる例として列挙されたに過ぎない。移動体通信装置１０２、１０４、１０６は、所望される任意の２つ以上の無線プロトコルで動作することができる。
【００１３】
図１に示すように、主移動体通信装置１０２は、２つの副移動体通信装置１０４および１０６とワイヤレスに通信することができる。移動体通信装置１０２は、Ｂｌｕｅｔｏｏｔｈ（登録商標）代替ＭＡＣ物理層（ＢＴ  ＡＭＰ）の移動体通信装置とすることができる。同じように、副移動体通信装置１０４および１０６は、ＢＴ  ＡＭＰの移動体通信装置とすることができる。主移動体通信装置１０２は、一連の接続１０８、１１０および１１２を介して、これらの接続が確立される順番に関係なく、副移動体通信装置１０４および１０６と通信する。データ接続１０８は、移動体通信装置１０２と移動体通信装置１０６との間で、音声、イメージ、テキスト、サウンドなどの全てのタイプのデータを伝送するための標準のＢｌｕｅｔｏｏｔｈ（登録商標）通信リンクとすることができる。
【００１４】
移動体通信装置１０２と移動体通信装置１０４との間の無線通信については、２つの接続１１０および１１２を使用することができる。最初に、２つの移動体通信装置１０２および１０４の間に接続を生成するＢｌｕｅｔｏｏｔｈ（登録商標）走査／発見プロセスを通じて、移動体通信装置１０２と移動体通信装置１０４との間に、Ｂｌｕｅｔｏｏｔｈ（登録商標）接続（ＢＴ接続）１１０を確立することができる。移動体通信装置１０２と移動体通信装置１０４との間にＢＴ接続１１０が確立されると、移動体通信装置１０２と移動体通信装置１０４との間にＷｉＦｉ接続１１２を確立することができる。これらの接続１１０および１１２は、本明細書では集合的にＢＴ８０２．１１接続と称され、いずれも２．４ＧＨｚ周波数で動作することができる。
【００１５】
ＢＴ接続１１０およびＷｉＦｉ接続１１２の両方を同時に維持して、データを伝送することができる。たとえば、ＢＴ接続１１０を介して、物理リンクおよび論理リンクを生成するために使用されるデータを含む構成データを伝送することができる。ＷｉＦｉ接続１１２を介して、音声、テキスト、イメージ、サウンドなどのデータを含むマルチメディアデータを伝送することができる。実際には、音声、テキスト、イメージまたはサウンドなどの任意のタイプのデータを、移動体通信装置１０２と移動体通信装置１０４との間のＷｉＦｉ接続１１２上でワイヤレスに伝送することができる。８０２．１１データおよびＢｌｕｅｔｏｏｔｈ（登録商標）パケットプロファイルデータを含むデータを、ＢＴ８０２．１１フレームで送信することができる。代替的には、ＢＴ接続１１０を、移動体通信装置１０２と移動体通信装置１０４との間でデータをワイヤレスに伝送するように構成することができる。
【００１６】
図２、図３および図４は、移動体通信装置１０２、１０４および１０６の様々な実装形態の一例を提供する。
【００１７】
図２は、主移動体通信装置２０２（モバイルハンドヘルドコンピューティングデバイスとして図示される）を有する無線ネットワーク２００を示す図であり、主移動体通信装置２０２は、２つの副移動体通信装置２０４および２０６（２０６はユーザに取り付けられたＢｌｕｅｔｏｏｔｈ（登録商標）レディなハンドセットとして示される）と通信できる。装置２０６との通信は、同期接続指向（ＳＣＯ）接続２０８を介して達成することができる。装置２０４との通信は、ＢＴ接続２１０およびＷｉＦｉ接続２１２を使用して達成される。ＳＣＯ接続２０８は、装置２０６と装置２０４との間で音声データを伝送するために使用される。ＢＴ接続２１０およびＷｉＦｉ接続２１２は、たとえばＢＴ８０２．１１リンクを形成するために、構成データおよびマルチメディアデータをそれぞれ伝送することができる。本明細書に記載される他の諸実施形態では、装置２０２と装置２０６との間の通信が達成されると同時に、装置２０２と装置２０４との間の通信が生じうる。
【００１８】
高品質音声３（ＨＶ３）プロファイルを、ＳＣＯ接続２０８を介して、ＳＣＯデータパケットで副移動体通信装置２０６に送信することができる。ＳＣＯデータパケットは、１つのＳＣＯスロットで３０バイトのデータが使用される場合、ＳＣＯデータパケットの６つのタイプスロットのうち２つの連続するスロットを占めることができる。ＷｉＦｉ接続２１２は、残りの４つのスロットを使用して、Ｂｌｕｅｔｏｏｔｈ（登録商標）プロファイルデータを有する伝送制御プロトコル（ＴＣＰ）パケットを伝送することができる。Ｂｌｕｅｔｏｏｔｈ（登録商標）プロファイルデータの１つの例は、汎用オブジェクト交換プロファイルである。
【００１９】
図３は、無線ネットワーク３００を示す図であり、この無線ネットワーク３００は、図２に類似するが、２つの副移動体通信装置３０４および３０６と、非同期接続リンク（ＡＣＬ）３０８、ＢＴ接続３１０およびＷｉＦｉ接続３１２を介してワイヤレスに通信する主移動体通信装置３０２を有する。一実施形態において、ＡＣＬ接続３０８を、主移動体通信装置３０２と副移動体通信装置３０６との間に確立することができる。ＡＣＬ接続３０８は、２つの移動体通信装置の間でマルチメディアデータを送信するために使用される非同期（パケット交換）接続とすることができる。たとえば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）データは、移動体通信装置３０２と移動体通信装置３０６との間で伝送される。Ａ２ＤＰデータは、Ｂｌｕｅｔｏｏｔｈ（登録商標）接続を介して、１つのデバイスから別のデバイスにどのくらい高品質な音声（ステレオまたはモノ）をストリーミングしうるかについて定義する。このようにして、音楽およびその他のデータを、移動電話から無線ヘッドセットにストリーミングすることができる。
【００２０】
移動体通信装置３０２および移動体通信装置３０４との間で構成データおよびマルチメディアデータを伝送するために、ＢＴ接続３１０およびＷｉＦｉ接続３１２を使用することができる。ＡＣＬプロファイルは、ＡＣＬ接続３０８を介して副移動体通信装置３０６へ、ＡＣＬデータパケットで送信される。ＡＣＬプロファイルは、総Ａ２ＤＰオーバヘッド要件が４５０ｋｂｐｓの３−ＤＨ５パケットを含むことができる。サブバンド符号化（ＳＢＣ）による高レートのＡ２ＤＰは、約３５０ｋｂｐｓである。一実施例では、ＡＣＬパケットデータの３０個の時間スロットうち６個のスロットは、ＡＣＬ接続３０８を介するＡＣＬトラフィックに使用することができる。ＷｉＦｉ接続３１２は、残りの２４個のスロットを使用して、Ｂｌｕｅｔｏｏｔｈ（登録商標）プロファイルデータを有するＴＣＰパケットを伝送することができる。別の実施例では、ＡＣＬパケットは、１２個のスロットのうち４個の連続するスロットを占めることができる。したがって、ＷｉＦｉ接続３１２は、残りの８個のスロットを使用して、Ｂｌｕｅｔｏｏｔｈ（登録商標）プロファイルデータを有するＴＣＰパケットを伝送することができる。
【００２１】
図４は、副移動体通信装置４０６およびアクセスポイント（ＡＰ）４０４（４０４は無線ルータとして示される）とワイヤレスに通信する主移動体通信装置４０２を有する無線ネットワーク４００の図である。代替的には、ＡＰ４０４は、携帯基地局、無線基地局、または８０２．１１パケットを送信できる任意のデバイスとすることができる。一実施形態において、主移動体通信装置４０２とＡＰ４０４との間に８０２．１１接続４０８を確立することができる。８０２．１１接続４０８を介して、移動体通信装置４０２とＡＰ４０４との間で、マルチメディアデータを転送することができる。８０２．１１接続４０８を使用して、移動体通信装置４０２とＡＰ４０４との間でデータを伝送することができる。ＢＴ接続４１０およびＷｉＦｉ接続４１２は、構成データおよびマルチメディアデータを移動体通信装置４０２と移動体通信装置４０６との間で伝送するために使用することができる。
【００２２】
８０２．１１接続４０８を、アクティブなデータ伝送が一つもない状態に維持することができる。ＡＰ４０４とデータを送受信しないが、ＡＰ４０４との接続を依然として維持することを主移動体通信装置４０２が選択するときには、装置４０２はＩＥＥＥ省電力モードのフィーチャを使用することができる。その他の実施例では、１００ミリ秒のターゲットビーコン送信時刻（ＴＢＴＴ）および配信トラフィック通知メッセージ（ＤＴＩＭ）は、各ビーコンを送信した。したがって、以下の選択肢、１）５ミリ秒期間にＴＩＭを聴くために各ＴＢＴＴをウェイクアップするように、主移動体通信装置４０２を設定すること、２）５〜１０ミリ秒期間にブロードキャスト／マルチキャストを聞くために各ＤＴＩＭをウェイクアップするように、主移動体通信装置４０２を設定すること、および３）１ミリ秒期間にＤＴＩＭ毎にフレームをアライブにしておくように、主移動体通信装置４０２を設定すること、の少なくとも１つが使用される。代替的には、任意のＩＥＥＥ基準（ＰＳポーリングスキーム、電力管理ビットスキームまたは同様の基準など）を使用して、主移動体通信装置４０２とＡＰ４０４との間のデータ伝送を調整することができる。
【００２３】
図５は、その他の（たとえば第２の（副））Ｂｌｕｅｔｏｏｔｈ（登録商標）可能な装置および８０２．１１可能な装置を走査し、それらの装置との接続を確立する移動体通信装置１０２、１０４および１０６で使用することができるＢＴ  ＡＭＰプロトコルスタック５００の一実装形態を示す。プロトコルスタック（通信スタックとも呼ばれる）は、コンピュータネットワーキングプロトコルスートの特定のソフトウェア実装を含むことができる。図５に示されるように、プロトコルスタック５００は、Ｂｌｕｅｔｏｏｔｈ（登録商標）層５０２と、８０２．１１層５０４と、論理リンク制御（ＬＬＣ）層５０６と、８０２．１１媒体アクセス制御（ＭＡＣ）層５０８と、８０２．１１物理（ＰＨＹ）層５１０とを含むことができる。Ｂｌｕｅｔｏｏｔｈ（登録商標）層５０２は、プロファイルブロック５１２、論理リンク制御および適合プロトコル（Ｌ２ＣＡＰ）ブロック５１４と、ＡＭＰホストコントローラインターフェース（ＡＭＰ  ＨＣＩ）ブロック５１６とを含むことができる。８０２．１１層５０４は、アプリケーション（Ａｐｐ）ブロック５１９と、伝送制御プロトコル／ユーザデータグラムプロトコル（ＴＣＰ／ＵＤＰ）ブロック５２０と、インターネットプロトコル（ＩＰ）ブロック５２２とを含むことができる。ＬＬＣ層５０６は、プロトコル適応層（ＰＡＬ）５１８を含むことができる。
【００２４】
Ｂｌｕｅｔｏｏｔｈ（登録商標）  ＡＭＰプロトコルスタック５００は、８０２．１１ＰＨＹ層５１０にＢｌｕｅｔｏｏｔｈ（登録商標）パケットデータを含む８０２．１１フレームを受信する。次に、８０２．１１ＭＡＣ層５０８は、１つまたは複数のネットワークノードがマルチポイントネットワーク内で通信できるようにするアドレッシングおよびチャネルアクセス制御機構のための８０２．１１フレームを処理する。その後、ＬＬＣ層５０６は、８０２．１１データ部分とＢｌｕｅｔｏｏｔｈ（登録商標）データ部分の両方がそれぞれの層を通過するように、８０２．１１フレームを多重化／逆多重化する。Ｂｌｕｅｔｏｏｔｈ（登録商標）接続とＷｉＦｉ接続の両方を介して同時通信を達成できるように、この処理が生じる。
【００２５】
移動体通信装置間の物理リンクおよび論理リンクの生成
ＡＭＰ  ＨＣＩ５１２は、ＢＴ  ＡＭＰの移動体通信装置間の接続（たとえば、物理リンクおよび論理リンク）を生成する。ＡＭＰ  ＨＣＩ５１２は、別の移動体通信装置を発見し、「Ｃｒｅａｔｅ  Ｌｉｎｋ」コマンドを使用して発見された移動体通信装置と関連付ける。２つの移動体通信装置間に物理リンクを生成した結果、Ｌｉｎｋ  Ｈａｎｄｌｅ信号が戻される。Ｌｉｎｋ  Ｈａｎｄｌｅは、Ｌｏｇｉｃａｌ  Ｃｏｎｎｅｃｔｉｏｎを生成するときに参照として使用される。ＡＭＰ物理リンクは、Ｂｌｕｅｔｏｏｔｈ（登録商標）物理リンクにマッピングされる。論理リンクは、接続ハンドルにマッピングされる。
【００２６】
ＢＴ  ＡＭＰの移動体通信装置間でデータを転送するためには、論理リンクが必要とされる。論理接続を生成するために、「Ｃｒｅａｔｅ  Ｌｏｇｉｃａｌ  Ｌｉｎｋ」コマンドが呼び出され、有効な「Ｌｉｎｋ  Ｈａｎｄｌｅ」が参照としてパスされる。論理リンクが正常に生成されると、「Ｃｏｎｎｅｃｔｉｏｎ＿Ｈａｎｄｌｅ」コマンドを、ホストに供給することができる。
【００２７】
「Ｃｒｅａｔｅ  Ｌｏｇｉｃａｌ  Ｌｉｎｋ」コマンドを使用して、物理リンクを介した複数の論理リンクを生成することができ、論理リンクのそれぞれは、「Ｃｏｎｎｅｃｔｉｏｎ  Ｈａｎｄｌｅ」によって参照される。「Ｃｏｎｎｅｃｔｉｏｎ  Ｈａｎｄｌｅ」は、データを転送し、サービスの品質を要求するときに使用することができる。全てのデータペイロードは、暗号化されなければならない。
【００２８】
物理リンクと論理リンクの接続を断つために、ＡＭＰ  ＨＣＩ５１２は、別のデバイスに送られた別のデバイスに送られた「Ｄｉｓｃｏｎｎｅｃｔ  Ｌｉｎｋ」コマンドおよび「Ｄｉｓｃｏｎｎｅｃｔ  Ｃｏｎｎｅｃｔｉｏｎ」コマンドを使用する。
【００２９】
移動体通信装置間のデータ転送
一実施例において、ＡＭＰ  ＨＣＩ５１２は、２つの移動体通信装置のホストとコントローラの間でデータを転送することができる。たとえば、Ｌ２ＣＡＰ  ＰＤＵパケットは、ＨＣＩ物理トランスポート（図示せず）を介して転送され、このトランスポートにより、フロー制御機構およびパケット機構が提供される。先に述べたように、Ｃｏｎｎｅｃｔｉｏｎ  Ｈａｎｄｌｅ（エンドポイントと同意）は、データパケットの行き先アドレスを指定する。これらの行き先アドレスは、制御プレーンの一部としてＣｏｎｎｅｃｔｉｏｎ機構によってセットアップされる。
【００３０】
受信されたデータは、組織で一意な識別子（ＯＵＩ）およびＢｌｕｅｔｏｏｔｈ（登録商標）プロトコルヘッダに基づいて、ＡＭＰ層（ＬＬＣ層５０６、８０２．１１ＭＡＣ層５０８および８０２．１１ＰＨＹ層５１０を含む）からＰＡＬ５１８にパスされる。次いで、このデータは、ＭＡＣ層５０８からＰＡＬ５１８に送られ、ＰＡＬ５１８によりこのデータはＨＣＩ物理トランスポートに送られる。次に、パケットは、Ｌ２ＣＡＰ  ５１４によって受信され、チャネル識別子（ＣＩＤ）に基づいて逆多重化される。
【００３１】
次に、Ｌ２ＣＡＰデータが、ＨＣＩ論理チャネル（図示せず）を介して送受信される。ＨＣＩ物理トランスポートが、ホストおよびホストコントローラのための機構を提供して、ＨＣＩ論理チャネルと、ＨＣＩ物理トランスポートを介して送られる各パケットのパケット長とが特定される。ＨＣＩ論理チャネルのＡＭＰ接続へのマッピングは、ＰＡＬ仕様によって定義することができる。ＨＣＩ論理層は、任意のデータフロー制御を特定する必要はない。フロー制御は、トランスポート仕様において特定することができる。各ＡＭＰ接続は、論理的に個別のＨＣＩおよび一意のＬｏｃａｌ＿ＡＭＰ＿ＩＤを有することができる。ＨＣＩ物理トランスポートが１つ存在すると、次いで、ＡＭＰの移動体通信装置上のＨＣＩトランスポートドライバが、同じ物理パッケージにある２つのＡＭＰの移動体通信装置を区別するために、余分な層の多重化を必要とすることができる。その結果、いくつかの実施例において、単一のＨＣＩトランスポートドライバのみとすることができる。
【００３２】
再び図１を（図５に関連して）参照すると、ＡＭＰ  ＨＣＩ５１２は、ＢＴ適合性およびＷｉＦｉ適合性を有するその他の移動体通信装置を走査することによって、ＢＴ接続１１０を開始する。ＡＭＰ  ＨＣＩ５１２は、ＡＭＰマネージャおよびコントローラに、ＢＴ  ＡＭＰの移動体通信装置を発見するように指示する。ＡＭＰマネージャは、移動体通信装置のホスト内に配置される。コントローラは、移動体通信装置の物理層内に配置される。
【００３３】
８０２．１１ビーコンは、ＢＴ  ＡＭＰの移動体通信装置を発見するのに必要とされない。しかしながら、走査が実行されているＢＴ  ＡＭＰの移動体通信装置に８０２．１１ビーコンの存在を知らせるために、ＢＴ  ＡＭＰの移動体通信装置は８０２．１１ビーコンを使用することができる。
【００３４】
Ｂｌｕｅｔｏｏｔｈ（登録商標）接続を維持するために、１．２８秒毎に、ＳＣＯ／ＡＣＬデータパケットの１８個のスロットを走査することができる。したがって、ベーシックレート／エンハンスドデータレート（ＢＲ／ＥＤＲ）制御リンクは、約２ミリ秒で３〜４個のスロットを消費する。別の実施形態では、ＢＴ８０２．１１接続を使用して、データの伝送のうち未使用の時間を使用することができる。
【００３５】
識別性の走査の完了後、以下のステップ、すなわちプローブ要求信号を生成するステップと、プローブ要求信号を送信するステップと、プローブ応答信号を受信するステップとを実行することによって、移動体通信装置間にＷｉＦｉ接続を生成することができる。ＢＴ接続は、８０２．１１基準に記載される４段階ハンドシェーク実装形態を使用して実現されるセキュア接続とすることができる。さらに、省電力フィーチャをＷｉＦｉ接続と一緒に使用してデータを伝送することができる。ＢＴ  ＡＭＰは、省電力モードを制御してもよく、あるいは基準８０２．１１省電力スキームを使用してもよい。
【００３６】
図６、図７および図８は、ＢＴ  ＡＭＰ層を有し、ＢＴ８０２．１１接続を生成する移動体通信装置を検出するために使用される、ＡＭＰマネージャおよびコントローラの相互作用を示す。
【００３７】
図６は、図１に示される別のＢＴ  ＡＭＰの移動体通信装置１０２および１０４を発見するＢＴ  ＡＭＰの移動体通信装置のデバイスマネージャおよびコントローラのための信号図６００を示す。信号図６００は、ＢＴ  ＡＭＰ層を備える装置を配置するための手順を示す。装置Ａおよび装置Ｂなどの各装置は、デバイスマネージャおよびコントローラを有して、ＢＴ接続を確立するためのＡＭＰ＿ＩＮＦＯを集めることができる。図６に示されるように、装置ＡのＡＭＰ  ＭＧＲ６０２は、装置Ａ（図示せず）のユーザインターフェースからＡＭＰ＿ＩＮＦＯ要求信号６１６を受信する。次に、装置Ａの２．４ＧＨｚコントローラ６０４は、ＡＭＰ＿ＩＮＦＯ要求信号６１４を、装置Ｂの２．４ＧＨｚコントローラ６１０へ送信する。次いで、装置Ｂ６１０の２．４ＧＨｚコントローラ６１０は、Ａｖａｉｌａｂｌｅ−Ｉｎｆｏ−応答（ＡＭＰ＿ｉｎｆｏ＿Ｌｉｓｔ）信号６１６を、装置Ａの２．４ＧＨｚコントローラ６０４へ送信する。その結果、装置ＡのＡＭＰ  ＭＧＲ６０２は、ＡＭＰ＿ＩＮＦＯ確認信号６１８を、装置Ａのユーザインターフェースに送信する。
【００３８】
ＡＭＰ＿ＩＮＦＯ応答信号でパスされるパラメータを、表１に示す。
【表１】
2010535461.tif 000003
【００３９】
図７は、ＷｉＦｉリンクを生成するために相互作用する２つの移動体通信装置のデバイスマネージャおよびコントローラを示す信号図７００である。具体的には、信号図７００は、ＷｉＦｉ物理リンクおよびＷｉＦｉ論理リンクを生成するための手順を示す。装置ＡのＡＭＰ  ＭＧＲ７０２は、ＨＣＩ  Ｇｅｔ  ＡＭＰ  Ｉｎｆｏ信号７１４を、装置Ａに関するＡＭＰ  ＰＡＬ７０６へ送信する。それに応答して、装置Ａに関するＡＭＰ  ＰＡＬ７０６は、ＡＭＰ＿ＩＮＦＯ信号７１６を、装置ＡのＡＭＰ  ＭＧＲ７０２に戻す。次に、装置ＡのＡＭＰ  ＭＧＲ７０２は、ＨＣＩ  Ｇｅｔ  ＡＭＰ  Ｉｎｆｏ信号７１４を、装置ＢのＡＭＰ  ＭＧＲ７１２へ送信する。その結果、装置ＢのＡＭＰ  ＭＧＲ７１２は、ＡＭＰ＿ＩＮＦＯ信号７１６を、装置ＢのＡＭＰ  ＰＡＬ７０８へ送信する。次に、装置ＢのＡＭＰ  ＰＡＬ７０８は、ＡＭＰ＿Ｇｅｔ＿Ｉｎｆｏ（ＡＭＰ＿Ｌｉｓｔ）信号７１８を、装置ＢのＡＭＰ  ＭＧＲ７１２へ送信する。また、装置ＢのＡＭＰ  ＰＡＬ７０８は、ＨＣＩ  ＡＭＰ＿Ｅｎａｂｌｅ＿Ｍｅｄｉｕｍ信号７２０を、装置ＡのＡＭＰ  ＭＧＲ７０２へ送信する。次に、装置ＡのＡＭＰ  ＭＧＲ７０２は、装置Ａのユーザインターフェースから、ＣＲＥＡＴＥ−ＡＭＰ−ＬＩＮＫ要求信号７２２を受信する。その後、装置ＡのＡＭＰ  ＭＧＲ７０２は、ＣＲＥＡＴＥ−ＡＭＰ−ＬＩＮＫ要求信号７２２を装置Ａに関するＡＭＰ  ＰＡＬ７０６にパスする。それに応じて、装置Ａに関するＡＭＰ  ＰＡＬ７０６は、ＡＭＰ＿Ｃｏｍｍａｎｄ＿ｃｏｍｐｌｅｔｅ信号７２４を、装置ＡのＡＭＰ  ＭＧＲ７０２に戻す。
【００４０】
次に、装置ＡのＡＭＰ＿ＭＧＲ７０２は、ＡＭＰ＿Ｃｒｅａｔｅ＿Ｐｈｙｓｉｃａｌ＿Ｌｉｎｋ要求信号７２６を、装置ＢのＡＭＰ＿ＭＧＲ７１２へ送信する。ＡＭＰ＿Ｃｒｅａｔｅ＿Ｐｈｙｓｉｃａｌ＿Ｌｉｎｋ要求信号７２６は、以下のパラメータ、すなわちＲｅｍｏｔｅ  ＡＭＰ＿ＩＤ、Ｌｏｃａｌ  ＡＭＰ＿ＩＤ、ＡＭＰ＿Ａｓｓｏｃ、Ｌｏｃａｌ  ＭＡＣ  Ａｄｄｒｅｓｓ、ＰＴＫ  Ｅｎｃｒｙｐｔｉｏｎ  ＫｅｙおよびＣｈａｎｎｅｌ  Ｎｕｍｂｅｒを含むことができる。ＡＭＰ＿Ｃｒｅａｔｅ＿Ｐｈｙｓｉｃａｌ＿Ｌｉｎｋ要求信号７２６は、ＢＴ  ＡＭＰ接続を生成するために、発信Ｂｌｕｅｔｏｏｔｈ（登録商標）コントローラ（ＢＴコントローラ）によって送信されることができる。ＰＴＫ  Ｅｎｃｒｙｐｔｉｏｎ  ｋｅｙは、ＡＭＰ接続を介するデータに関する暗号化キーである。ＡＭＰ  ＰＡＬ７０８が別のＡＭＰデバイスとの物理リンクを確立するために、ＡＭＰ＿Ｃｒｅａｔｅ＿Ｐｈｙｓｉｃａｌ＿Ｌｉｎｋ要求信号７２６を必要とすることがある。
【００４１】
次に、装置ＢのＡＭＰ＿ＭＧＲ７１２は、ＨＣＩ  ＡＭＰ＿Ｅｎａｂｌｅ＿Ｍｅｄｉｕｍ信号７２０を、装置ＢのＡＭＰ  ＰＡＬ７０８へ送信する。次いで、装置ＢのＡＭＰ  ＰＡＬ７０８は、ＡＭＰ＿Ｃｏｍｍａｎｄ＿ｃｏｍｐｌｅｔｅ信号７２４を、装置ＢのＡＭＰ＿ＭＧＲ７１２に送信する。その結果、装置ＢのＡＭＰ＿ＭＧＲ７１２は、ＡＭＰ＿Ｃｒｅａｔｅ＿Ｐｈｙｓｉｃａｌ＿Ｌｉｎｋ＿Ｒｅｓｐｏｎｓｅ信号７２８を、装置ＡのＡＭＰ＿ＭＧＲ７１２に送信する。ＡＭＰ＿Ｃｒｅａｔｅ＿Ｐｈｙｓｉｃａｌ＿Ｌｉｎｋ＿Ｒｅｓｐｏｎｓｅ信号１０２８は、以下のパラメータ、すなわちＬｏｃａｌ  ＡＭＰ＿ＩＤ、Ｒｅｍｏｔｅ  ＡＭＰ＿ＩＤ、ＡＭＰ＿Ａｓｓｏｃ、Ｒｅｍｏｔｅ  ＭＡＣ  Ａｄｄｒｅｓｓ、Ｃｈａｎｎｅｌ  ＮｕｍｂｅｒおよびＲｅｓｐｏｎｓｅ  Ｃｏｄｅを含むことができる。
【００４２】
Ｃｒｅａｔｅ  Ｐｈｙｓｉｃａｌ  Ｌｉｎｋ  Ｒｅｑｕｅｓｔに応答して、ＡＭＰ＿Ｃｒｅａｔｅ＿Ｐｈｙｓｉｃａｌ＿Ｌｉｎｋ＿Ｒｅｓｐｏｎｓｅ信号７２８を、行き先ＢＴコントローラにより、開始ＢＴコントローラへ送信することができる。ＰＡＬが別のＡＭＰデバイスと物理リンクを確立するために、ＡＭＰ＿Ｃｒｅａｔｅ＿Ｐｈｙｓｉｃａｌ＿Ｌｉｎｋ＿Ｒｅｓｐｏｎｓｅ信号７２８を、使用することができる。
【００４３】
その後、装置ＢのＡＭＰ＿ＭＧＲ７１２は、ＣＲＥＡＴＥ−ＡＭＰ−ＬＩＮＫ表示信号７３０を、装置Ｂのユーザインターフェースに送信する。次に、装置ＢのＡＭＰ＿ＭＧＲ７１２は、ＨＣＩ＿ＣｒｅａｔｅＰｈｙｓｉｃａｌ＿Ｌｉｎｋ信号７３２を、装置ＢのＡＭＰ  ＰＡＬ７０８に送信する。また、装置ＡのＡＭＰ＿ＭＧＲ７０２は、ＨＣＩ＿ＣｒｅａｔｅＰｈｙｓｉｃａｌ＿Ｌｉｎｋ信号７３２を、装置ＡのＡＭＰ  ＰＡＬ７０６に送信する。次に、装置ＡのＡＭＰ  ＰＡＬ７０６は、Ｐｒｏｂｅ要求信号７３４を、装置ＢのＡＭＰ  ＰＡＬ７０８に送信する。それに応答して、装置ＢのＡＭＰ  ＰＡＬ７０８は、Ｐｒｏｂｅ  Ｒｅｓｐｏｎｓｅ信号７３６を、装置ＡのＡＭＰ  ＰＡＬ７０６に送信する。この時点で、ＡＭＰ物理リンクが生成される。
【００４４】
その後、装置ＡのＡＭＰ  ＰＡＬ７０６は、ＨＣＩ＿ＣｒｅａｔｅＰｈｙｓｉｃａｌ＿Ｌｉｎｋ信号１０３２を、装置ＡのＡＭＰ＿ＭＧＲ１００２へ送信する。同時に、装置ＢのＡＭＰ  ＰＡＬ７０８は、ＨＣＩ＿ＣｒｅａｔｅＰｈｙｓｉｃａｌ＿Ｌｉｎｋ信号７３２を、装置ＢのＡＭＰ＿ＭＧＲ７１２に送信する。次に、装置ＡのＡＭＰ＿ＭＧＲ７０２と装置ＢのＡＭＰ＿ＭＧＲ７１２の両方が、ＣＲＥＡＴＥ−ＡＭＰ−ＬＩＮＫ確認信号７３８を、装置Ａのユーザインターフェースへ送信する。
【００４５】
図８は、移動体通信装置間にチャネルＡＭＰを生成するために相互作用する２つの移動体通信装置のデバイスマネージャおよびコントローラを示す信号図８００である。信号図８００は、ＢＴ  ＡＭＰ層を有するデバイスを配置するための手順を示す。装置Ａおよび装置Ｂなどの各装置は、デバイスマネージャおよびコントローラを有して、ＢＴ接続を確立するためのＡＭＰ＿ｉｎｆｏを集めることができる。図８に示すように、装置ＡのＬ２ＣＡＰ８０２は、ＣＲＥＡＴＥ−ＣＨＡＮＮＥＬ  ＡＭＰ要求信号８１４を、装置Ａのユーザインターフェースから受信する。次に、装置ＡのＬ２ＣＡＰ８０２は、ＨＣＩ＿Ｃｒｅａｔｅ＿Ｌｏｇｉｃａｌ＿Ｌｉｎｋ信号８１６を、装置ＡのＡＭＰコントローラ８０６へ送信する。それに応じて、装置ＡのＡＭＰコントローラ８０６は、ＨＣＩ＿Ｃｒｅａｔｅ＿Ｌｏｇｉｃａｌ＿Ｌｉｎｋ＿Ｃｏｍｐｌｅｔｅ信号８１８を、装置ＡのＬ２ＣＡＰ８０２へ送信する。次に、装置ＡのＬ２ＣＡＰ８０２は、Ｃｒｅａｔｅ＿Ｃｈａｎｎｅｌ＿ＡＭＰ＿Ｒｅｑｕｅｓｔ信号８２０を、装置ＢのＬ２ＣＡＰ８１２へ送信する。
【００４６】
その後、装置ＢのＬ２ＣＡＰ８１２は、ＨＣＩ＿Ｃｒｅａｔｅ＿Ｌｏｇｉｃａｌ＿Ｌｉｎｋ信号８１６を、装置ＢのＡＭＰコントローラ８０８へ送信する。それに応答して、装置ＢのＡＭＰコントローラ８０８は、ＨＣＩ＿Ｃｒｅａｔｅ＿Ｌｏｇｉｃａｌ＿Ｌｉｎｋ＿Ｃｏｍｐｌｅｔｅ信号８１８を、装置ＢのＬ２ＣＡＰ８１２へ送信する。次に、装置ＢのＬ２ＣＡＰ８１２は、Ｃｒｅａｔｅ＿Ｃｈａｎｎｅｌ＿ＡＭＰ＿Ｒｅｓｐｏｎｓｅ信号８２２を、装置ＡのＬ２ＣＡＰ８０２へ送信する。その結果、装置ＡのＬ２ＣＡＰ８０２は、ＨＣＩ＿Ｃｒｅａｔｅ＿Ｌｏｇｉｃａｌ＿Ｌｉｎｋ＿Ａｃｔｉｖｅ信号８２４を、装置ＡのＡＭＰコントローラ８０６へ送信する。同時に、装置ＢのＬ２ＣＡＰ８１２は、ＨＣＩ＿Ｃｒｅａｔｅ＿Ｌｏｇｉｃａｌ＿Ｌｉｎｋ＿Ａｃｔｉｖｅ信号８２４を、装置ＢのＡＭＰコントローラ８０８へ送信する。次に、装置ＡのＬ２ＣＡＰ８０２は、Ｃｒｅａｔｅ＿Ｃｈａｎｎｅｌ＿ＡＭＰ確認信号８２６を、装置Ａのユーザインターフェースへ送信する。同様に、装置ＢのＬ２ＣＡＰ８１２は、Ｃｒｅａｔｅ＿Ｃｈａｎｎｅｌ＿ＡＭＰ表示信号８２８を、装置Ｂのユーザインターフェースへ送信する。
【００４７】
その後、装置ＡのＬ２ＣＡＰ８０２は、装置Ａのユーザインターフェースからデータ要求信号を受信する。次に、装置ＡのＬ２ＣＡＰ８０２は、ＡＭＰ  ＨＣＩ  Ｄａｔａ  Ｒｅｑｕｅｓｔ信号８３２を、装置ＡのＡＭＰコントローラ８０６へ送信する。その後、装置ＡのＡＭＰコントローラ８０６は、Ｉ−Ｆｒａｍｅ信号８３４を、装置ＢのＡＭＰコントローラ８０８へ送信する。その結果、装置ＢのＡＭＰコントローラ８０８は、ＡＭＰ  ＨＣＩ  Ｄａｔａ  Ｉｎｄ信号８３６を、装置ＢのＬ２ＣＡＰ８１２へ送信する。それに応答して、装置ＢのＬ２ＣＡＰ８１２は、ＡＭＰ  ＨＣＩ  Ｄａｔａ  Ｒｅｑｕｅｓｔ信号８３８を、装置ＢのＡＭＰコントローラ８０８へ送信する。次に、装置ＢのＡＭＰコントローラ８０８は、ＲＲ信号８４０を、装置ＡのＡＭＰコントローラ８０６に送信する。次いで、装置ＡのＡＭＰコントローラ８０６は、ＡＭＰ  ＨＣＩ  Ｄａｔａ  Ｉｎｄ８４２信号を、装置ＡのＬ２ＣＡＰ８０２に送信する。
【００４８】
以下に、上述の２つの移動体通信装置間に論理リンクおよび物理リンクを生成する際に使用される様々な信号を記載する。
【００４９】
ＢＴコントローラによって、ＡＭＰプロファイル要求をＡＭＰデバイスへ送信することができる。ＡＭＰプロファイル要求は、８０２．１１ＡＭＰによって使用されるべきＰＴＫ暗号化キーを含む。行き先において、ＡＭＰプロファイル要求は、イニシエータＭＡＣアドレス、使用されるべきチャネルおよびＰＴＫ暗号化キーを含むことができる。また、ＡＭＰプロファイル要求は、遠隔ＡＭＰデバイスのＭＡＣアドレスに関する要求とすることができる。ＡＭＰプロファイル要求は、別のＡＭＰデバイスへの物理リンクを確立するために、ＰＡＬについて使用することができる。ＰＡＬ５１８は、８０２．１１インターフェースのＭＡＣアドレスを応答で送信する。また、ＰＡＬは、ＰＴＫを使用するために、８０２．１１ＡＭＰ  ＭＡＣを構成することができる。行き先において、ＰＡＬは、８０２．１１ＡＭＰ  ＭＡＣチャネル番号と、受信ＭＡＣアドレスと、ＴＫを構成する。また、ＰＡＬは、８０２．１１インターフェースのＭＡＣを応答で送信する。
【００５０】
ＡＭＰプロファイル応答を、ＡＭＰデバイスによってＢＴコントローラへ送信することができる。ＡＭＰプロファイル応答は、８０２．１１ＡＭＰのＭＡＣアドレスを含むことができる。ＡＭＰプロファイル応答は、８０２．１１ＡＭＰリンクについて使用できるチャネル番号を含むことができる。ＡＭＰプロファイル応答を、別のＡＭＰデバイスとの物理リンクを確立するために、ＰＡＬに関して使用することができる。ＰＡＬは、８０２．１１インターフェースのＭＡＣアドレスを応答で戻すことができる。また、ＰＡＬは、８０２．１１ＡＭＰについて使用されるべきチャネル番号を戻すことができる。行き先８０２．１１ＡＭＰは、自身のラジオをｏｎにする。
【００５１】
ＡＭＰ  Ｃｒｅａｔｅ  Ｐｈｙｓｉｃａｌ  Ｌｉｎｋコマンドによって、ＰＡＬが、遠隔デバイスとの関連性を作成するために必要とされる全てのアクション（ラジオをｏｎにする、適当なチャネルを設定する、または、遠隔ＭＡＣアドレスを設定する）を実行できるようになる。ＡＭＰ物理リンクが既に存在する場合、ＰＡＬは、ＡＭＰ  Ｐｈｙｓｉｃａｌ  Ｌｉｎｋ  Ｃｏｍｐｌｅｔｅイベントを発生させることになる。ＡＭＰ  Ｃｒｅａｔｅ  Ｐｈｙｓｉｃａｌ  Ｌｉｎｋコマンドは、デバイスと論理リンクとの間の関連性を生成するに過ぎない。さらに、ＡＭＰ  Ｃｒｅａｔｅ  Ｐｈｙｓｉｃａｌ  Ｌｉｎｋコマンドは、データを転送するために生成されるべきである。ＡＭＰ  Ｃｒｅａｔｅ  Ｐｈｙｓｉｃａｌ  Ｌｉｎｋコマンドを、別のＡＭＰデバイスとの物理リンクを確立するために、ＰＡＬに関して使用することができる。ＰＡＬは、８０２．１１ＭＡＣを構成して、ＰＲＯＢＥ  ＲＥＱ信号をその存在を問い合わせるリモートへ送信する。
【００５２】
ＡＭＰ  Ｐｈｙｓｉｃａｌ  Ｌｉｎｋ  Ｃｒｅａｔｅｄイベントは、遠隔ＡＭＰデバイスと、リンクパラメータによって特定されたデバイスを関連付けるホストを示すことができる。さらに、物理Ｌｉｎｋ  ＨａｎｄｌｅをＡＭＰ間の通信に使用して、このリンクを介する論理接続を生成し、続いて、データを送受信する。ＡＭＰ  Ｐｈｙｓｉｃａｌ  Ｌｉｎｋ  Ｃｒｅａｔｅｄイベントは、以下のパラメータ、すなわちＡＭＰ＿Ｐｈｙｓｉｃａｌ＿Ｌｉｎｋ＿Ｈａｎｄｌｅ、ＡＭＰ＿ＡｓｓｏｃおよびＥｎｃｒｙｐｔｉｏｎ＿Ｓｔａｔｕｓを含むことができる。Ｐｈｙｓｉｃａｌ  Ｌｉｎｋ  Ｃｏｍｐｌｅｔｅイベントを、Ｃｒｅａｔｅ  Ｐｈｙｉｓｃａｌ  Ｌｉｎｋコマンドに関する応答として使用することができる。このイベントを使用して、「Ｃｒｅａｔｅ  Ｐｈｙｓｉｃａｌ  Ｌｉｎｋ」が正常であった否かを示すことができる。遠隔８０２．１１ＭＡＣからのプローブ応答に応答して、Ｐｈｙｓｉｃａｌ  Ｌｉｎｋ  ＣｏｍｐｌｅｔｅイベントをＰＡＬによって発生させることができる。
【００５３】
ＡＭＰ  Ｐｈｙｓｉｃａｌ  Ｌｉｎｋ  Ｄｉｓｃｏｎｎｅｃｔコマンドを使用して、既存の物理リンクを終了させるために、信号をＰＡＬへ送ることができる。ＡＭＰ  Ｐｈｙｓｉｃａｌ  Ｌｉｎｋ  Ｄｉｓｃｏｎｎｅｃｔコマンドは、以下のパラメータ、すなわちＡＭＰ＿Ｐｈｙｓｉｃａｌ＿Ｌｉｎｋ＿Ｈａｎｄｌｅを含むことができる。ＡＭＰ  Ｐｈｙｓｉｃａｌ  Ｌｉｎｋ  Ｄｉｓｃｏｎｎｅｃｔコマンドにより、ＰＡＬに、Ｐｈｙｓｉｃａｌ  Ｌｉｎｋ  Ｈａｎｄｌｅに参照されるデバイスから関連性を断つために必要とされる全てのアクションを実行させることができる。ＡＭＰ  Ｐｈｙｓｉｃａｌ  Ｌｉｎｋ  Ｄｉｓｃｏｎｎｅｃｔコマンドは、Ｐｈｙｓｉｃａｌ  Ｌｉｎｋ  Ｄｉｓｃｏｎｎｅｃｔｉｏｎ  Ｃｏｍｐｌｅｔｅイベントを発生させることができる。ローカルリンクは、ＡＭＰによって接続を断つことができる。この実施形態では、対応するＭＬＭＥ（ＭＡＣ  Ｓｕｂｌａｙｅｒ  Ｍａｎａｇｅｍｅｎｔ  Ｅｎｔｉｔｙ）コマンドが全く存在しない。さらに、ＰＡＬを使用して、個々の論理リンクを破棄し、Ｌ２ＣＡＰを再び示すことができる。
【００５４】
ＡＭＰ  Ｃｒｅａｔｅ  Ｌｏｇｉｃａｌ  Ｌｉｎｋコマンドにより、ＰＡＬに、遠隔デバイスへの論理リンクを作成するために必要とされる全てのアクションを実行させることができる。ＡＭＰ  Ｃｒｅａｔｅ  Ｌｏｇｉｃａｌ  Ｌｉｎｋコマンドは、以下のパラメータ、すなわちＡＭＰ＿Ｐｈｙｓｉｃａｌ＿ＨａｎｄｌｅおよびＡＭＰ＿Ｆｌｏｗ＿Ｓｐｅｃを含むことができる。予約ＱｏＳの特定の制約は、Ｃｒｅａｔｅ  ＣｈａｎｎｅｌコマンドとＱｏＳ修正コマンドの両方を使用して、ホストによって特定することができる。ＡＭＰ  Ｃｒｅａｔｅ  Ｌｏｇｉｃａｌ  Ｌｉｎｋコマンドは、ＰＡＬが別のＡＭＰデバイスとの一方向の論理リンクを確立するために使用することができる。ＰＡＬは、適当なトランスポート制御（ＴＣ）に対するフロースペックに基づいて、パケットを分類するクラシファイアを設定することができる。
【００５５】
ＡＭＰ  Ｌｏｇｉｃａｌ  Ｌｉｎｋ  Ｃｏｍｐｌｅｔｅイベントは、ローカルＡＭＰデバイスおよびリンクパラメータによって特定されたデバイスが合意されたＱｏＳチャネルを介して接続されるホストを示すことができる。このイベントが受信されると、セキュアな暗号化されたチャネルを、データ伝送に利用することが可能になる。ＰＡＬが別のＡＭＰデバイスとの一方向の論理リンクを確立するために、ＡＭＰ  Ｌｏｇｉｃａｌ  Ｌｉｎｋ  Ｃｏｍｐｌｅｔｅイベントを使用することができる。ＰＡＬは、適当なＴＣに対するフロースペックに基づいて、パケットを分類するクラシファイアを設定し、Ｃｏｍｐｌｅｔｅイベントに戻ることができる。
【００５６】
ＡＭＰ  Ｌｏｇｉｃａｌ  Ｌｉｎｋ  Ｄｉｓｃｏｎｎｅｃｔコマンドは、論理リンクの終了をＡＭＰに知らせることができる。ＡＭＰ  Ｌｏｇｉｃａｌ  Ｌｉｎｋ  Ｄｉｓｃｏｎｎｅｃｔコマンドは、以下のパラメータ、すなわち  ＡＭＰ＿Ｐｈｙｓｉｃａｌ＿ＨａｎｄｌｅおよびＡＭＰ＿Ｌｏｇｉｃａｌ＿Ｈａｎｄｌｅを含むことができる。ＰＡＬは論理リンクに添付されたクラシファイアを再設定することができる。
【００５７】
ＡＭＰ  Ｌｏｇｉｃａｌ  Ｌｉｎｋ  Ｄｉｓｃｏｎｎｅｃｔイベントは、論理リンクが終了したことをホストに知らせることができる。ＡＭＰ  Ｌｏｇｉｃａｌ  Ｌｉｎｋ  Ｄｉｓｃｏｎｎｅｃｔコマンドは、以下のパラメータ、すなわち  ＡＭＰ＿Ｐｈｙｓｉｃａｌ＿ＨａｎｄｌｅおよびＡＭＰ＿Ｌｏｇｉｃａｌ＿Ｈａｎｄｌｅを含むことができる。ＡＭＰ  Ｌｏｇｉｃａｌ  Ｌｉｎｋ  Ｄｉｓｃｏｎｎｅｃｔコマンドを使用して、論理リンクを破棄することができる。
【００５８】
図５を再び参照すると、ＡＭＰ  ＨＣＩ５１２はＰＡＬ５１８を制御して、移動体装置間の論理接続および物理接続をアシストする。
【００５９】
図９は、ＰＡＬ内の機能ブロックを示すブロック図９００である。図９に示すように、ＰＡＬは、セキュリティマネージャ９０４と、接続マネージャ９０６と、アドミッション制御ブロック９０８と、デジタル媒体／媒体アクセス制御（ＤＭＥ／ＭＡＣ）ポリシー９１０と、ＡＭＰ接続ブロック９１２とを含むことができる。
【００６０】
接続マネージャ９０６は、接続要求を実現し、ＡＭＰ接続を管理するように構成される接続マネージャ９０６は、セキュリティマネージャ９０４のサービスを使用して、セキュリティチェックを実行することができる。さらに、接続マネージャ９０６は、アドミッション制御９０８のサービスを使用して、フロー制御できるようにすることができる。
【００６１】
ＡＭＰ接続ブロック９１２は、単一接続を表すように構成することができる。この単一接続は、論理リンクおよび物理リンクを含むことができる。また、ＡＭＰ接続９１２は、サービスの品質（ＱｏＳ）契約を要求するように構成することができる。また、ＡＭＰ接続９１２は、リンクマネージャおよびストリームマネージャを含むことができる。リンクマネージャは、通信リンクを発見し、確立するように構成することができる。ストリームマネージャは、論理リンクを維持するように構成することができる。
【００６２】
アドミッション制御ブロック９０８は、ＱｏＳ要求に基づいて、アドミッション制御を行うように構成することができる。さらに、アドミッション制御９０８は、当業者に既知のその他のタスクを実行することができる。セキュリティマネージャ９０４は、ＵＷＢリンクに関する４段階の認証および暗号化を管理するように構成することができる。さらに、セキュリティマネージャ９０４は、ＰＴＫ暗号化キーをプラムするように構成することができる。
【００６３】
図１０は、図１に示される接続移動体通信装置１０２と移動体通信装置１０４との間でＢＴ８０２．１１接続を介して伝送される８０２．１１データパケット／フレーム１０００を示す。図１０に示されるように、データパケット／フレーム１０００は、２つの部分、すなわちＴＣＰフレーム１００２およびＴＣＰ肯定応答（ＡＣＫ）１００４を含むことができる。ＴＣＰフレーム１００２は、ＤＩＦＳ（ＤＣＦ  ｉｎｔｅｒｆｒａｍｅ  ｓｐａｃｅ）ブロック１００６と、Ｂａｃｋｏｆｆブロック１００８と、ＴＣＰデータフレームブロック１０１０と、ＳＩＦＳ（ｓｈｏｒｔ  ｉｎｔｅｒｆｒａｍｅ  ｓｐａｃｅ）ブロック１０１２と、８０２．１１ＰＨＹ  ＡＣＫブロック１０１４とを含むことができる。ＴＣＰ肯定応答部分は、ＤＩＦＳブロック１０１６と、Ｂａｃｋｏｆｆブロック１０１８と、ＴＣＰデータフレームブロック１０２０と、ＳＩＦＳブロック１０２２と、８０２．１１ＰＨＹ  ＡＣＫブロック１０２４とを含むことができる。
【００６４】
図１１および図１２は、図１に示される移動体通信装置１０２と移動体通信装置１０４と移動体通信装置１０６との間でＢＴデータパケットおよび８０２．１１データパケットを伝送するために使用できる２つの伝送スキームを示す。ＢＴパケットおよび８０２．１１パケットの伝送は、少なくとも２つの方法、すなわち１）ｐｏｌｌｉｎｇ−ｔｈｅ−ｓｌａｖｅ−ｐｅｒ−ｐａｃｋｅｔ伝送スキームおよび２）ｐｒｏｖｉｄｉｎｇ−ａ−ｔｒａｎｓｍｉｓｓｉｏｎ  ｏｐｐｏｒｔｕｎｉｔｙ（ＴｘＯＰ）−ｔｏ−ｓｌａｖｅ伝送スキームによって達成することができる。
【００６５】
図１１は、ｐｏｌｌｉｎｇ−ｔｈｅ−ｓｌａｖｅ−ｐｅｒ−ｐａｃｋｅｔデータ伝送スキームを使用し、ＢＴ８０２．１１接続を介して、スレーブからマスターへ伝送されるパケット／フレーム１１００における、Ｂｌｕｅｔｏｏｔｈ（登録商標）データおよび８０２．１１データのポーリングを示す。図１１に示すように、データパケット／フレーム１１００は、以下の部分、すなわちＢＴ−Ｐｏｌｌ＋（Ｄａｔａ）（Ｍａｓｔｅｒ）ブロック１１０２と、ＢＴ−Ｄａｔａ＋（Ｓｌａｖｅ）ブロック１１０４と、ＰＳ−Ｐｏｌｌ＋（Ｄａｔａ）（Ｍａｓｔｅｒ）ブロック１１０６と、８０２＿１１Ｄａｔａブロック１１０８と、ＡＣＫブロック１１１０と、ＤＩＦＳ＋Ｂａｃｋｏｆｆブロック１１１２と、最大ＭＰＤＵ時間ブロック１１１４とを含むことができる。データパケットに関する各スロットは、６２５μ秒である。
【００６６】
一実施例（図１１を図２とあわせて参照する）では、主移動体通信装置２０２は、ＢＴ−Ｐｏｌｌ＋（Ｄａｔａ）（Ｍａｓｔｅｒ）ブロック信号１１０２を、ＳＣＯ接続２０８を介して副移動体通信装置２０６へ送信する。それに応答して、副移動体通信装置２０６は、ＢＴ−Ｄａｔａ＋（Ｓｌａｖｅ）ブロック信号１１０４を、ＳＣＯ接続２０８を介して送信する。同時に、主移動体通信装置２０２は、ＰＳ−Ｐｏｌｌ＋（Ｄａｔａ）（Ｍａｓｔｅｒ）ブロック信号１１０６を、ＷｉＦｉ接続２１２を介して副移動体通信装置２０４へ送信する。次に、主移動体通信装置２０４は、８０２＿１１Ｄａｔａブロック信号１１０８を、ＷｉＦｉ接続２１２を介して送信する。８０２＿１１Ｄａｔａブロック信号１１０８は、Ｂｌｕｅｔｏｏｔｈ（登録商標）プロファイルデータを含む。それに応答して、副移動体通信装置２１２は、ＡＣＫブロック信号１１１０を、ＷｉＦｉ接続２１２を介して主移動体通信装置２０２へ送信する。データ伝送の反復回数は、伝送サイクルの持続時間中に可能である限り多くすることができる。
【００６７】
ＳＣＯ接続２０８およびＷｉＦｉ接続２１２を介するデータ伝送の持続時間は、スレーブへ伝送されるリンクマネージャプロトコル（ＬＭＰ）最大スロットサイズ値に基づくことができる。別の実施例では、スレーブは、Ｂｌｕｅｔｏｏｔｈ（登録商標）パケットの伝送の終わりを特定し、８０２．１１パケットを伝送することができ、その後、マスターは、８０２．１１パケットを受信し、パケットが同時に伝送されないようにＢｌｕｅｔｏｏｔｈ（登録商標）スロットのスケジューリングを中止することができる。スレーブからマスターへのパケット伝送時間は、最大ＭＰＤＵ時間を超えない。マスターは、ＭＡＣプロトコルデータユニット（ＭＰＤＵ）を伝送するために残された時間が最大ＭＰＤＵ時間より短い場合、スレーブをポーリングしない。
【００６８】
いくつかの実施例において、マスターからスレーブへの伝送は、マスターによって制御することができる。たとえば、マスターは、ＢＴパケット伝送が１つもスケジュールされていない場合に、以下のＤＣＦ（Ｄｉｓｔｒｉｂｕｔｅｄ  Ｃｏｏｒｄｉｎａｔｉｏｎ  Ｆｕｎｃｔｉｏｎ）ルールで８０２．１１パケットを伝送することができる。マスターは、スレーブからマスターへの伝送をスケジュールすることができる。スレーブは、いつマスターがＡＣＬトラフィックをスレーブへ転送しているかを知っていても、知らなくてもよい。さらに、スレーブは、いつマスターがデータ伝送のためにその他のスレーブをポーリングするかを知らなくてもよい。
【００６９】
図１２は、伝送機会（ＴｘＯＰ）をスレーブに提供することによってスレーブからマスターへ伝送されたデータパケット／フレーム１２００のＢＴパケットおよび８０２．１１パケットを示す。図１２に示すように、データパケット／フレーム１２００は、以下の部分、すなわちＢＴ−Ｐｏｌｌ＋（Ｄａｔａ）（Ｍａｓｔｅｒ）ブロック１２０２と、ＢＴ−ｄａｔａ＋（Ｓｌａｖｅ）ブロック１２０４と、８０２．１１（ＴｘＯＰ許可）ブロック１２０６と、ＡＣＫブロック１２０８と、ＴｘＯＰセグメントブロック１２１０と、ＤＩＦＳ＋Ｂａｃｋｏｆｆブロック１２１４と、ＳＩＦＳブロック１２１６とを含むことができる。ＴｘＯＰセグメント１２１０は、３つの８０２＿１１データパケットブロック１２１２と、３つのＡＣＫブロック１２０８とを含むことができる。データパケットに関する各スロットは、６２５μ秒である。
【００７０】
一実施例（図１２を図２とあわせて参照する）において、主移動体通信装置２０２は、ＢＴ−Ｐｏｌｌ＋（Ｄａｔａ）（Ｍａｓｔｅｒ）ブロック信号１２０２を、ＳＣＯ接続２０８を介して副移動体通信装置２０６へ送信する。それに応答して、副移動体通信装置２０６は、ＢＴ−Ｄａｔａ＋（Ｓｌａｖｅ）ブロック信号１２０４を、ＳＣＯ接続２０８を介して送信する。同時に、主移動体通信装置２０２は、８０２．１１（ＴｘＯＰ許可）ブロック信号１２０６を、ＷｉＦｉ接続２１２を介して副移動体通信装置２０４へ送信する。それに応答して、副移動体通信装置２０４は、ＷｉＦｉ接続２１２を介して、ＡＣＫブロック信号１２０８を、主移動体通信装置２０２へ送信する。次に、主移動体通信装置２０４は、（８０２＿１１データ）ブロック信号１２１２を、ＷｉＦｉ接続２１２を介して送信する。（８０２＿１１データブロック）信号１２１２は、Ｂｌｕｅｔｏｏｔｈ（登録商標）プロファイルデータを含むことができる。それに応答して、副移動体通信装置２１２は、別のＡＣＫブロック信号１２０８を、ＷｉＦｉ接続２１２を介して主移動体通信装置２０２へ送信する。（８０２＿１１データ）ブロック信号１２１２およびＡＣＫブロック信号１２０８のデータ伝送の反復回数は、伝送サイクルの持続時間中に可能な限り多くすることができる。
【００７１】
一実施形態において、マスターは、スレーブにＴｘＯＰ許可を与えることができ、スレーブは、伝送ＴｘＯＰ機会を使用して、複数のＭＡＣプロトコルデータユニット（ＭＰＤＵ）をスレーブまたはマスターへ伝送することができる。ＴｘＯＰ機会は、以下の方法、すなわち１）持続時間および２）絶対エンド時間、のうち少なくとも１つの方法によって特定することができる。まず初めに、所望の持続時間を抽出すべきである。それに加えて、持続時間を含むパケットがゼロバックオフとなり、指定されたハードウェアによって挿入されるべきである。
【００７２】
絶対エンド時間によって特定されると、両方の移動体通信装置を、ビーコンを使用して同じタイムベースに同期させることができる。さらに、両方の移動体通信装置は、指定されたハードウェアによって挿入されたタイムスタンプとともにビーコンを伝送することができる。絶対エンド時間によってＴｘＯＰを特定するための諸ステップには、プローブ応答を、マスター移動体通信装置からスレーブ移動体通信装置へ送信するステップと、絶対エンド時間をデータパケットに埋め込むステップと、タイミング同期機能（ＴＳＦ）のデルタを計算するステップと、ローカル絶対エンド時間を決定するステップとが含まれ得る。プロセッサ（移動体通信装置に格納される）は、ＴＳＦのデルタを計算し、そのローカル絶対エンド時間を決定することができる。さらに別の実施例では、プローブ応答は、送信器（移動体通信装置に埋め込まれる）のＴＳＦを有する。さらに別の実施例では、送受信器は、ローカル絶対エンド時間を過ぎたら伝送しなくてもよい。同じように、マスターは、エンド時間が過ぎた場合、プローブ応答パケットを伝送しなくてもよい。
【００７３】
図１３Ａ〜図１３Ｆは、様々なデバイスを示すが、上述のように、ＢＴ  ＡＭＰ層をこれらのデバイスのプロトコルスタックの一部に加えることができる。
【００７４】
次に図１３Ａを参照すると、このような技術を、高精細テレビ（ＨＤＴＶ）１３２０で利用することができる。ＨＤＴＶ１３２０は、大容量データストレージ１３２７と、ＨＤＴＶ信号処理制御ブロック１３２２と、無線インターフェース１３２９と、メモリ１３２８とを含む。ＨＤＴＶ１３２０は、有線形式または無線形式のいずれかでＨＤＴＶ入力信号を受信し、ディスプレイ１３２６に関するＨＤＴＶ出力信号を発生させる。いくつかの実装形態において、信号処理回路および／または制御回路１３２２および／またはその他のＨＤＴＶ１３２０の回路（図示せず）は、データを処理し、符号化および／または暗号化を実行し、計算を実行し、データをフォーマットし、ならびに／あるいはその他の任意のタイプの要求され得るＨＤＴＶ処理を実行することができる。一実施形態において、論理ユニット１３２４は、好適な有線接続または無線接続（Ｂｌｕｅｔｏｏｔｈ（登録商標）もしくは８０２．１１など）を介する遠隔ユニット１３２３とのデータ通信を管理することができる。論理ユニット１３２４、遠隔デバイス１３２３、またはその両方は、上述のデバイスおよび技術を使用することができる。遠隔ユニット１３２３は、論理ユニット１３２４からストリーミングされたデータを受け入れるコードレスハンドセットまたは遠隔ビューワとすることができる。代替的には、遠隔ユニット１３２３は、論理ユニット１３２４にデータをストリーミングするメディアプレーヤ（パーソナルポータブルプレーヤまたはパーソナルコンピュータなど）とすることができる。
【００７５】
ＨＤＴＶ１３２０は、光学ストレージデバイスおよび／または磁気ストレージデバイスなどの、不揮発性の様式でデータを格納する大容量データストレージ１３２７と通信することができる。ＨＤＴＶ１３２０は、メモリ１３２８（ＲＡＭ、ＲＯＭ、低遅延不揮発性メモリ（フラッシュメモリなど）および／またはその他の好適な電子データストレージなど）に接続することができる。また、ＨＤＴＶ１３２０は、無線ネットワークインターフェース１３２９を介する好適な無線接続との接続をサポートすることができる。無線ネットワークインターフェース１３２９は、無線ネットワーク１３２９を介してデータを伝送するためのＢＴ  ＡＭＰ構成を、かつ、ＨＤＴＶ信号処理制御ブロック１３２２は、ディスプレイ１３２６へデータを伝送するためのＢＴ  ＡＭＰ構成をそれぞれ実施することができる。
【００７６】
次に図１３Ｂを参照すると、このような技術を、車両１３３０で利用することができる。車両１３３０は、パワートレイン制御システム１３３２とすることができる制御システムならびに無線インターフェース１３４８を含む。パワートレイン制御システム１３３２は、１つまたは複数のセンサ１３３６（温度センサ、圧力センサ、回転センサ、空気流センサおよび／またはその他の任意の好適なセンサなど）から入力を受信し、および／または１つまたは複数の出力制御信号１３３８（エンジン操作パラメータ、トランスミッション操作パラメータおよび／またはその他の制御信号など）を発生させることができる。
【００７７】
制御システム１３４０は、同様に、入力センサ１３４２から信号を受信し、および／または１つまたは複数の出力デバイス１３４４へ制御信号を出力することができる。いくつかの実装形態において、制御システム１３４０は、アンチロックブレーキングシステム（ＡＢＳ）、ナビゲーションシステム、テレマティクスシステム、車両テレマティクスシステム、レーンデパーチャシステム、車間距離制御システム、車両娯楽システム（ステレオ、ＤＶＤ、コンパクトディスクなど）の一部とすることができる。
【００７８】
パワートレイン制御システム１３３２はメモリ１３４７（ＲＡＭ、ＲＯＭ、低遅延不揮発性メモリ（フラッシュメモリなど）および／またはその他の好適な電子データストレージなど）と接続することができ、である。また、パワートレイン制御システム１３３２は、無線ネットワークインターフェース１３４８を介する外部デバイスとの接続をサポートすることができる。１つの例示的実施形態において、制御システム１３４０は、遠隔デバイス１３４３とのデータ通信のための論理ユニットを含むことができる。たとえば、遠隔デバイス１３４３は、制御システム１３４０によってサポートされた娯楽ユニットとすることができる。別の実施形態において、遠隔デバイス１３４３は、パーソナルメディアプレーヤなどのデータソースとすることができる。さらに別の実施形態において、遠隔デバイス１３４３は、取外し可能なＢＴ  ＡＭＰ診断ユニットとすることができる。
【００７９】
次に図１３Ｃを参照すると、このような技術を、移動電話１３５０で利用することができる。移動電話１３５０は、セルラアンテナ１３５１と、信号処理回路／信号制御回路の一方もしくは両方（図１３Ｃにおいて、全体的に１３５２で示される）とを含むことができる。論理回路１３５３は、低パワーデータストリーミングをサポートするために使用することができる。移動電話１３５０は、無線ネットワークインターフェース１３６８も含むことができる。いくつかの実装形態において、移動電話１３５０は、マイクロフォン１３５６、音声出力１３５８（スピーカおよび／または音声出力ジャックなど）、ディプレイ１３６０および／または入力デバイス１３６２（キーパッド、ポインティングデバイス、音声作動および／またはその他の入力デバイスなど）を含む。遠隔デバイス１３５９、たとえばハンズフリーユニットは、信号処理回路／制御回路１３５２とデータを送受信できる。また、信号処理回路／制御回路１３５２は、データを処理し、符号化および／または暗号化を実行し、計算を実行し、データをフォーマットし、ならびに／あるいはその他の移動電話機能を実行することができる。
【００８０】
移動電話１３５０は、光学ストレージデバイスおよび／または磁気ストレージデバイス（たとえばハードディスクドライブＨＤＤおよび／またはＤＶＤなど）などの、不揮発性の様式でデータを格納する大容量データストレージ１３６４と通信することができる。移動電話１３５０は、メモリ１３６６（ＲＡＭ、ＲＯＭ、低遅延不揮発性メモリ（フラッシュメモリなど）および／またはその他の好適な電子データストレージなど）と接続することができる。また、移動電話１３５０は、自動車アクセサリ（車載ディスプレイ、スピーカまたは個人用アクセサリ）、たとえばハンズフリーユニット１３５９との通信のためにＢＴ  ＡＭＰ技術を使用できる無線ネットワークインターフェース１３６８を介する無線ネットワークとの接続をサポートすることができる。
【００８１】
次に図１３Ｄを参照すると、このような技術を、セットトップボックス１３８０で利用することができる。セットトップボックス１３８０は、図１３Ｄにおいて全体的に１３８４で特定される信号処理回路／制御回路を含むことができる。セットトップボックス１３８０は、ソース１３８９（ブロードバンドソースまたは娯楽システムなど）から信号を受信し、ディスプレイ１３８８（テレビおよび／またはモニタおよび／またはその他の映像出力デバイスおよび／またはその他の音声出力デバイスなど）に好適な標準および／または高解像度の音声／映像信号を出力する。信号処理回路／制御回路１３８４および／またはセットトップボックス１３８０内のその他の回路（図示せず）は、データを処理し、符号化および／または暗号化を実行し、計算を実行し、データをフォーマットし、ならびに／あるいはその他のセットトップボックス機能を実行することができる。
【００８２】
セットトップボックス１３８０は、データを不揮発性の様式で格納する大容量データストレージ１３９０と通信することができる。大容量データストレージ１３９０は、光学ストレージデバイスおよび／または磁気ストレージデバイス、たとえばハードディスクドライブＨＤＤおよび／またはＤＶＤを含むことができる。セットトップボックス１３８０は、メモリ１３９４（ＲＡＭ、ＲＯＭ、低遅延不揮発性メモリ（フラッシュメモリなど）および／またはその他の好適な電子データストレージなど）に接続することができる。また、セットトップボックス１３８０は、好適な無線ネットワークインターフェース１３９６を介する無線ネットワークとの接続をサポートすることができる。また、ＢＴ  ＡＭＰ構成は、無線ネットワークを使用して遠隔デバイス１３８９へのデータを伝送するのに利用しうる。
【００８３】
次に図１３Ｅを参照すると、そのような技術を、メディアプレーヤ１３００で使用することができる。メディアプレーヤ１３００は、信号処理回路／信号制御回路の一方もしくは両方（図１３Ｅにおいて、全体的に１３０４で示される）と、無線インターフェース１３１６および／またはメディアプレーヤ１３００の大容量データストレージ１３１０とを含むことができる。いくつかの実施形態において、メディアプレーヤ１３００は、Ｂｌｕｅｔｏｏｔｈ（登録商標）などの遠隔インターフェースを介して接続できるディスプレイ１３０７および／またはユーザ入力１３０８（キーパッド、タッチパッドなど）を含む。いくつかの実施形態において、メディアプレーヤ１３００は、グラフィカルユーザインターフェース（ＧＵＩ）を利用することができ、このＧＵＩは、典型的には、ディスプレイ１３０７および／またはユーザ入力１３０８を介するメニュー、ドロップダウン、アイコンおよび／またはポイントアンドクリックインターフェースを利用する。メディアプレーヤ１３００はさらに、音声出力１３０９（スピーカおよび／または音声出力ジャックなど）、または、たとえばＢｌｕｅｔｏｏｔｈ（登録商標）もしくは他の適当な無線プロトコルを介するヘッドセット１３１１との無線接続を含む。ヘッドセット１３１１は、信号処理回路／制御回路１３０４からデータを受信することができる。信号処理回路／制御回路１３０４および／またはメディアプレーヤ１３００内のその他の回路（図示せず）は、データを処理し、符号化および／または暗号化を実行し、計算を実行し、データをフォーマットし、ならびに／あるいははその他のメディアプレーヤ機能を実行する（たとえば、ＢＴ  ＡＭＰ層に関する論理回路を実施する）ことができる。
【００８４】
メディアプレーヤ１３００は、圧縮された音声および／または映像コンテンツなどのデータを、不揮発性の様式で格納する大容量データストレージ１３１０と通信することができる。いくつかの実施形態において、圧縮された音声ファイルは、ＭＰ３フォーマットあるいは圧縮された音声および／または映像フォーマットと互換性のあるファイルを含む。大容量データストレージは、光学ストレージデバイスおよび／または磁気ストレージデバイス（たとえばハードディスクドライブＨＤＤおよび／またはＤＶＤなど）を含むことができる。メディアプレーヤ１３００は、メモリ１３１４（ＲＡＭ、ＲＯＭ、低遅延不揮発性メモリ（フラッシュメモリなど）および／またはその他の好適な電子データストレージなど）に接続することができる。また、メディアプレーヤ１３００は、無線ネットワークインターフェース１３１６を介する無線ネットワークとの接続をサポートすることができる。また、ＢＴ  ＡＭＰ技術の使用は、無線ネットワークインターフェース１３１６を介して、たとえば、遠隔デバイス１３１７から伝送されるデータに応用することができる。遠隔デバイス１３１７は、メディアオブジェクトをメディアプレーヤ１３００にダウンロードするために使用される、サーバ、パーソナルコンピュータ、またはＤＶＤプレーヤとすることができる。代替的には、遠隔デバイス１３１７は、別のメディアプレーヤであってもよく、メディアプレーヤ１３００と遠隔デバイス１３１７との間でメディアを共有するために、ＢＴ  ＡＭＰを使用してもよい。
【００８５】
図１３Ｆを参照すると、このような技術を、ボイスオーバインターネットプロトコル（ＶｏＩＰ）電話１３５０で利用することができる。ＶｏＩＰ電話１３５０は、アンテナ、信号処理回路／制御回路の一方もしくはその両方（図１３Ｆで全体的に１３５４で示される）、無線インターフェース１３６６および／またはＶｏＩＰ電話１３５０の大容量データストレージを含むことができる。いくつかの実施形態において、ＶｏＩＰ電話１３５０は、部分的に、マイクロフォン１３５８、音声出力１３６０（スピーカおよび／または音声出力ジャックなど）、ディスプレイモニタ１３６２、入力デバイス１３６４（キーパッド、ポインティングデバイス、音声作動および／またはその他の入力デバイスなど）を含む。入力素子または出力素子のいずれかが、遠隔であり、Ｂｌｕｅｔｏｏｔｈ（登録商標）などのネットワーク、無線インターフェース１３６６、あるいはその両方を介して接続され得る。信号処理回路／制御回路１３５４および／またはＶｏＩＰ電話１３５０内のその他の回路（図示せず）は、データを処理し、符号化および／または暗号化を実行し、計算を実行し、データをフォーマットし、ならびに／あるいはその他のＶｏＩＰ電話機能を実行する（低パワーストリーミングのサポートを含む）ことができる。
【００８６】
ＶｏＩＰ電話１３５０は、光学ストレージデバイスおよび／または磁気ストレージデバイス（たとえばハードディスクドライブＨＤＤおよび／またはＤＶＤなど）などの不揮発性の様式で、データを格納する大容量データストレージ１３５６と通信することができる。ＶｏＩＰ電話１３５０は、メモリ１３５７（ＲＡＭ、ＲＯＭ、低遅延不揮発性メモリ（フラッシュメモリなど）および／またはその他の好適な電子データストレージなどとすることができる）と接続することがでる。ＶｏＩＰ電話１３５０は、ブロードバンドインターネットプロトコル（ＩＰ）接続（図示せず）を介するＶｏＩＰネットワークとの通信リンクを確立するように構成される。無線インターフェース１３６６は、ＩＰ接続をサポートするために使用できるが、通話時に使用されるコードレスハンドセット１３５３と通信するために使用することもできる。低パワーデータストリーミング技術は、無線インターフェース１３６６を介してデータを通信する際に使用することができる。また、低パワーデータストリーミングは、マイクロフォン１３５８および音声出力１３６０との接続に結合されたアクセサリ１３６１（ＢＴ  ＡＭＰ  Ｂｌｕｅｔｏｏｔｈ（登録商標）ヘッドセットなど）に接続するために使用することができる。
【００８７】
上述の様々なブロック、操作および技術を、ハードウェア、ファームウェア、ソフトウェア、あるいはハードウェア、ファームウェアおよび／またはソフトウェアの任意の組合せで実施することができる。ソフトウェアで実装される場合、ソフトウェアは、任意のコンピュータ読取可能メモリ（コンピュータ、プロセッサ、ハードディスクドライブ、光学ディスクドライブ、テープドライブなどの、ＲＡＭまたはＲＯＭまたはフラッシュメモリの形式の磁気ディスク、光学ディスク、またはその他の保存媒体など）に保存することができる。同様に、たとえばコンピュータ読取可能ディスクまたはその他の持ち運び可能なコンピュータストレージ機構上に含まれる任意の、既知のまたは所望の配信方法を介して、あるいは通信媒体を介して、ソフトウェアをユーザまたはシステムへ配信することができる。通信媒体は、典型的には、コンピュータ読取可能命令、データ構造、プログラムモジュール、または搬送波もしくはその他のトランスポート機構などの変調されたデータ信号内のその他のデータを実施する。用語「変調されたデータ信号」とは、特徴的セットのうち１つ以上を有する、あるいは、信号内の情報を符号化するような方法で変化した信号を意味する。通信媒体は、有線媒体（有線ネットワークまたは直接有線接続など）および無線媒体（音響、無線周波数、赤外線およびその他の無線媒体など）を例として含むが、これらに限定されるものではない。したがって、ソフトウェアは、電話回線、ＤＳＬ回線、ケーブルテレビ回線、無線通信チャネル、インターネットなどの通信チャネル（これらのチャネルは、持ち運び可能な保存媒体を介してこのようなソフトウェアを提供することと同一、または互換性があるものとみなされる）を介して、ユーザまたはシステムに配信されうる。ハードウェア内で実施する場合、ハードウェアは、個別の構成要素、集積回路、特定用途向け集積回路（ＡＳＩＣ）などのうち１つ以上を含むことができる。
【００８８】
単に例示的なものであり本発明を限定しないことが意図される特定の実施例を参照して本発明を説明したが、本発明の趣旨および範囲から逸脱することなく、上記に明示された内容に加えて、開示された諸実施形態に変更、付加または追加し得ることは、当業者には明らかであろう。
【図１】
2010535461.tif 000004
2010535461.tif 000005
【図５】
2010535461.tif 000006
【図６】
2010535461.tif 000007
【図７】
2010535461.tif 000008
【図８】
2010535461.tif 000009
【図９】
2010535461.tif 000010
【図１０】
2010535461.tif 000011
【図１１】
2010535461.tif 000012
【図１２】
2010535461.tif 000013
【図１３Ａ】
2010535461.tif 000014
2010535461.tif 000015
【図１３Ｂ】
2010535461.tif 000016
【図１３Ｃ】
2010535461.tif 000017
【図１３Ｄ】
2010535461.tif 000018
【図１３Ｅ】
2010535461.tif 000019
【図１３Ｆ】
2010535461.tif 000020
【図２】
2010535461.tif 000021
【図３】
2010535461.tif 000022
【図４】
2010535461.tif 000023
【国際調査報告】
2010535461.tif 000024
2010535461.tif 000025
2010535461.tif 000026